(57)【要約】【課題】  従来の複数の光源からの入射光を合成する面光源装置は、光線の利用効率が低いとい問題があった。本発明は従来の問題を解決し、薄型化が可能で、光合成性能に優れた面光源装置を提供する。【解決手段】  少なくともＲ、Ｇ、Ｂよりなる３色のＬＥＤを１組とし、1組のＬＥＤがＸ−Ｙ座標における各象限に対象的に配置されてなる光源対を、1枚の基板上に複数個形成した光源基板と、一方の面に複数の微細なプリズムを有し、他方の面が平面な２枚のプリズムシートのプリズム列を交差させて配置した交差プリズムシートとを有し、前記交差プリズムシートを前記光源基板の上方に所定の間隔を置いて配置することにより、Ｒ、Ｇ、Ｂ光源を混色した混色光を出射させる。【選択図】    図１
2009087695.tif 000002
【特許請求の範囲】
【請求項１】
少なくともＲ、Ｇ、Ｂよりなる３色のＬＥＤを１組とし、1組のＬＥＤがＸ−Ｙ座標における各象限に対象的に配置されてなる光源対を、1枚の基板上に複数個形成した光源基板と、一方の面に複数の微細なプリズムを有し、他方の面が平面な２枚のプリズムシートを各プリズムシートのプリズム列を交差させて配置した交差プリズムシートとを有し、前記交差プリズムシートを前記光源基板の上方に所定の間隔を置いて配置することにより、前記交差プリズムシートの前記光源基板における各光源対のＸ−Ｙ座標の交点に対応する出射位置に前記Ｒ、Ｇ、Ｂ光源を混色した混色光を出射させることを特徴とする面光源装置。
【請求項２】
前記光源基板上にはＲ、Ｇ、Ｂの複数のＬＥＤがマトリックス状に配置され、各ＬＥＤは隣り合う光源対に共有されている請求項1記載の面光源装置。
【請求項３】
前記光源対はＲ、Ｇ、Ｇ、Ｂの４個のＬＥＤを有する請求項１または２に記載の面光源装置。
【請求項４】
前記光源基板上にはＲ・ＬＥＤとＢ・ＬＥＤとを交互に配置したＬＥＤ列とＧ・ＬＥＤのみを配置したＬＥＤ列とが交互に配置されている請求項３記載の面光源装置。
【請求項５】
前記光源基板上にはＧ・ＬＥＤとＲ・ＬＥＤとを交互に配置したＬＥＤ列と、Ｂ・ＬＥＤとＧ・ＬＥＤとを交互に配置したＬＥＤ列とが交互に配置されている請求項３記載の面光源装置。
【請求項６】
前記光源対を構成する４個のＬＥＤは、対角位置の象限に配置されたＬＥＤどうしはＸ−Ｙ座標の交点に対して点対象に配置され、隣り合う象限に配置されたＬＥＤ同士はＸ−Ｙ座標軸に対して線対象に配置されている請求項３乃至５の何れか１項に記載の面光源装置。
【請求項７】
前記光源基板に実装された光源対を構成する４個のＬＥＤの、対角位置の象限に配置された２個のＬＥＤ間の距離をＬ、前記光源対のＸ−Ｙ座標の交点と、その交点に対応する前記交差プリズムシートの出射位置との距離をＨ、前記対角位置の象限に配置された２個のＬＥＤより前記交差プリズムシートから直上方向への出射位置に進行する光束の出射角をθとするとき、Ｈ＝Ｌ／２ｔａｎθの関係を有する請求項１乃至６の何れか１項に記載の面光源装置。
【請求項８】
前記２枚の交差プリズムシートは頂角が９０°のプリズムシートを直交配置して構成し、前記光源対を構成する複数のＬＥＤの、集光点を通るＸ軸に対する配置角度は、４２°〜４５°の範囲の同一角度である請求項１または２項に記載の面光源装置。
【請求項９】
前記各ＬＥＤはその発光面側に指向性レンズを配置した請求項１乃至８の何れか１項に記載の面光源装置。
【請求項１０】
少なくともＲ、Ｇ、Ｂよりなる３色のＬＥＤを１組とし、1組のＬＥＤがＸ−Ｙ座標における各象限に対象的に配置されてなる光源対を、1枚の基板上に複数個形成した光源基板と、一方の面に複数の微細なプリズムを有し、他方の面が平面な２枚のプリズムシートを各プリズムシートのプリズム列を交差させて配置した交差プリズムシートとを有し、前記交差プリズムシートを前記光源基板の上方に所定の間隔を置いて配置することにより、前記交差プリズムシートの前記光源基板における光源対のＸ−Ｙ座標の交点に対応する出射位置に前記Ｒ、Ｇ、Ｂ光源を混色した混色光を出射させる面光源装置の製造方法であって、前記交差プリズムシートの出射位置に直上方向からビーム光を入射させ、入射したビーム光が４方に分散進行して前記光源基板の基板面に照射される位置にＬＥＤを実装配置することを特徴とする面光源装置の製造方法。
【発明の詳細な説明】
【技術分野】
【０００１】
本発明は複数のＬＥＤ光源からの入射光を混色して出射する面光源装置に係り、特に小型薄型化が可能で、且つ光線の利用効率を高めた面光源装置及びその製造方法に関する。
【背景技術】
【０００２】
従来より液晶表示装置等のバックライトとして、ＬＥＤ光源からの出射光を混色させた白色光源が用いられており、小型の面光源として色々開発されている。一般的な構成としては導光板の側面に３色のＬＥＤを配置し、導光板の形状を利用して上面側に白色光を出射させる面光源型の面光源装置が多用されているが、この構成では導光板の形状が大きくなって表示装置の小型薄型化の妨げになるとともに、発光面全体が均一な輝度に成り難いという問題がある。
【０００３】
上記導光板を用いた面光源装置の欠点を改良するために、導光板を用いない面光源装置がいろいろ提案されている。例えば複数のＬＥＤ光源と反射、散乱部材を有する発光基板と２枚のプリズムシートを用いて輝度の均一性を高めた面光源装置や（例えば、特許文献１参照）、複数のＬＥＤ光源を備えた発光基板と調光用ドットパターンを有する拡散導光板を用いて輝度の均一性を高めた面光源装置（例えば、特許文献２参照）が提案されている。
【０００４】
以下、図面を用いて従来技術における面光源装置の構成について説明する。図１４、図１５は特許文献１に示す面光源装置の構成を示すものであり、図１４は面光源装置の分解斜視図、図１５は図１４に示す発光基板の発光状態を示す部分拡大側面図である。図１４において７０は面光源装置であり、各々のプリズム列を交差させて積層配置された２枚のプリズムシート７０ａ、７０ｂと、その下側に複数のＬＥＤ７２と複数の反射体７３を有する保持基板７４によって構成された発光基板７５が配置されている。そしてこの面光源装置７０の上面側に液晶ユニット８０が配置されることにより、面光源装置７０をバックライトとする液晶表示装置を構成している。
【０００５】
前記発光基板７５には複数のＬＥＤ７２が例えばマトリックス状に配列されており、各反射体７３は１列に配置されたＬＥＤ７２を一括して覆うように設けられている。図１５に発光基板７５の部分拡大側面図を示すごとく、反射体７３はそれぞれ、ＬＥＤ７２の発光面に対向する第１面７３ａと上面を覆う第２面７３ｂを有している。そしてＬＥＤ７２より発光された放射光は反射体７３の第１面７３ａで側方に反射されて隣の反射体７３に入射され、隣の反射体７３の第２面７３ｂで上方に反射されて積層配置されているプリズムシート７０ａ、７０ｂに入射する。そして積層配置されたプリズムシート７０ａ、７０ｂは、発光基板７５に設けられた複数の反射体７３の第２面７３ｂから入射される反射光の光路を整えて上方（液晶ユニット８０の方向）に出射させる役目を担っている。
【０００６】
前記構成における面光源装置７０はバックライトとして白色光を出射している。従って発光基板７５からは白色光を発光することになるが、白色のＬＥＤは大別すると特定の発光波長のＬＥＤと蛍光体を組み合わせたタイプと、１つのパッケージの中にＲ、Ｇ、Ｂの３つのＬＥＤ設けるタイプがあり、何れのタイプでも使用することができる。また、発光基板７５に配置する複数のＬＥＤ７２を赤色ＬＥＤ（以後Ｒ・ＬＥＤ）、緑色ＬＥＤ（以後Ｇ・ＬＥＤ）、青色ＬＥＤ（以後Ｂ・ＬＥＤ）の３種類のＬＥＤとし、反射体７３の第１面７３ａと第２面７３ｂによってそれらの３色の光が混ざり合うように反射させて出射することで、白色光の面光源装置を実現することもできる。
【０００７】
次に図１６、図１７により特許文献２に示す面光源装置の構成を説明する。図１６は面光源装置の断面図、図１７は図１６に示す面光源装置の拡散導光板を示す平面図である。図１６において９０は面光源装置であり、発光基板である反射性基板９１の上面には複数のＬＥＤ９２が実装されている。前記反射性基板９１の上面には複数の調光用ドットパターン９３ａを有する拡散導光板９３が積層され、さらに拡散導光板９３の上面側に拡散板９４、拡散シート９５、プリズムシート９６が積層された構成となっている。
【０００８】
図１７に示すごとく拡散導光板９３には複数の調光用ドットパターン９３ａが設けられており、この調光用ドットパターン９３ａは反射性基板９１に実装された複数のＬＥＤ９２に各々対応して設けられ、各ＬＥＤ９２の発光領域を覆う範囲に形成されている。そしてこの調光用ドットパターン９３ａはＬＥＤ９２から発光された光と反射性基板９１で反射された光を拡散反射させる機能を有するものである。
【０００９】
上記調光用ドットパターン９３ａは遮光剤と拡散剤を添加した反射性のインキを印刷して形成されており、この拡散性によって入射した光を効率良く拡散反射する。また遮光性によって、点光源であるＬＥＤ９２から発光された指向性を有する入射光の部分的な高輝度領域を抑制し、面全体の輝度を均一にする機能を有する。
【００１０】
つぎに面光源装置９０の動作に付いて説明する。反射性基板９１には複数のＬＥＤ９２が例えばマトリックス状に配列されており、これらのＬＥＤは、Ｒ・ＬＥＤ、Ｇ・ＬＥＤ、Ｂ・ＬＥＤを規則的に配列している。そしてこれらのＬＥＤ９２からの発光は拡散導光板９３に形成された調光用ドットパターン９３ａに入射することによって、部分的な高輝度領域が抑制され、面全体に輝度が均一化されると同時に混色された出射光となって拡散板９４に入射する。またＬＥＤ９２からの発光の１部は、反射性基板９１の反射面によって反射された後に、拡散導光板９３に形成された調光用ドットパターン９３ａに入射し、同様に混色光として出射される。
【００１１】
拡散板９４は拡散導光板９３で混色された出射光をさらに拡散し、均一な輝度の白色光として出射する。さらに拡散シート９５及びプリズムシート９６は拡散板９４からの白色光を直上方向に出射して面光源装置９０の面輝度を上昇させる機能を有している。上記の如く面光源装置９０は調光用ドットパターン９３ａを有する拡散導光板９３を用いることによって、従来の導光板のような形状の大きい部材を使用することなく、ＬＥＤの部分的な高輝度領域が抑制され、面全体に輝度が均一化された白色光を得ることができる。
【００１２】
【特許文献１】特開２００６−２２８７１０号公報
【特許文献２】特開２００５−１１７０２３号公報
【発明の開示】
【発明が解決しようとする課題】
【００１３】
しかしながら、従来技術における面光源装置には以下の問題がある。特許文献１における面光源装置７０は、発光基板７５に複数の反射体７３を設けるため、構造が複雑で薄型化が難しく、また装置としての価格が高くなるという問題がある。
【００１４】
また特許文献２における調光用ドットパターン９３ａを有する拡散導光板９３を用いる面光源装置９０は、面発光の均一性は優れているが、調光用ドットパターン９３ａを用いてＬＥＤからの発光を減衰させることによって輝度の均一化をはかっているため、光源の利用効率が悪く、またＲ、Ｇ、Ｂ光を混色して白色光を得るために拡散板９４や拡散シート９５を使用する必要があるため、さらに光源の利用効率が悪くなるという問題がある。
【００１５】
（発明の目的）
本発明は上記問題に鑑みなされたもので、光源基板上のＬＥＤの配置と交差プリズムシートの組み合わせにより、光学装置を薄型化すると共に、複数の光源の入射方向を工夫してプリズムシートに合成機能を行わせることで、価格が安く小型薄型化が可能で光合成性能に優れ、且つ光線の利用効率を高めた面光源装置及びその製造方法を提供することを目的としている。
【課題を解決するための手段】
【００１６】
上記目的を達成するため本発明においては、少なくともＲ、Ｇ、Ｂよりなる３色のＬＥＤを１組とし、1組のＬＥＤがＸ−Ｙ座標における各象限に対象的に配置されてなる光源対を、1枚の基板上に複数個形成した光源基板と、一方の面に複数の微細なプリズムを有し、他方の面が平面な２枚のプリズムシートを各プリズムシートのプリズム列を交差させて配置した交差プリズムシートとを有し、前記交差プリズムシートを前記光源基板の上方に所定の間隔を置いて配置することにより、前記交差プリズムシートの前記光源基板における各光源対のＸ−Ｙ座標の交点に対応する出射位置に前記Ｒ、Ｇ、Ｂ光源を混色した混色光を出射させることを特徴とする。
【００１７】
上記構成によれば、交差プリズムシートが混色機能と、直上方向への出射機能とを兼ね備えているため、薄型で光源の利用効率に優れた面光源を実現できる。
【００１８】
前記光源基板上にはＲ、Ｇ、Ｂの複数のＬＥＤがマトリックス状に配置され、各ＬＥＤは隣り合う光源対に共有されていることを特徴とする。
【００１９】
前記光源対はＲ、Ｇ、Ｇ、Ｂの4個のＬＥＤを有することを特徴とする。
【００２０】
前記光源基板上にはＲ・ＬＥＤとＢ・ＬＥＤとを交互に配置したＬＥＤ列とＧ・ＬＥＤのみを配置したＬＥＤ列とが交互に配置されていることを特徴とする。
【００２１】
前記光源基板上にはＲ・ＬＥＤとＧ・ＬＥＤとを交互に配置したＬＥＤ列と、Ｂ・ＬＥＤとＧ・ＬＥＤとを交互に配置したＬＥＤ列とが交互に配置されていることを特徴とする。
【００２２】
前記光源対を構成する４個のＬＥＤは、対角位置の象限に配置されたＬＥＤどうしはＸ−Ｙ座標の交点に対して点対象に配置され、隣り合う象限に配置されたＬＥＤどうしはＸ−Ｙ座標軸に対して線対象に配置されていることを特徴とする。
【００２３】
前記光源基板に実装された光源対を構成する４個のＬＥＤの、対角位置の象限に配置された２個のＬＥＤ間の距離をＬ、前記光源対のＸ−Ｙ座標の交点と、その交点に対応する前記交差プリズムシートの出射位置との距離をＨ、前記対角位置の象限に配置された２個のＬＥＤより前記交差プリズムシートから直上方向への出射位置に進行する光束の出射角をθとするとき、Ｈ＝Ｌ／２ｔａｎθの関係を有することを特徴とする。
【００２４】
前記２枚の交差プリズムシートは頂角が９０°のプリズムシートを直交配置して構成し、前記光源対を構成する複数のＬＥＤの、集光点を通るＸ軸に対する配置角度は、４２°〜４５°の範囲の同一角度であることを特徴とする。
【００２５】
前記各ＬＥＤはその発光面側に指向性レンズを配置したことを特徴とする。
【００２６】
少なくともＲ、Ｇ、Ｂよりなる３色のＬＥＤを１組とし、1組のＬＥＤがＸ−Ｙ座標における各象限に対象的に配置されてなる光源対を、1枚の基板上に複数個形成した光源基板と、一方の面に複数の微細なプリズムを有し、他方の面が平面な２枚のプリズムシートを各プリズムシートのプリズム列を交差させて配置した交差プリズムシートとを有し、前記交差プリズムシートを前記光源基板の上方に所定の間隔を置いて配置することにより、前記交差プリズムシートの前記光源基板における光源対のＸ−Ｙ座標の交点に対応する出射位置に前記Ｒ、Ｇ、Ｂ光源を混色した混色光を出射させる面光源装置の製造方法であって、前記交差プリズムシートの出射位置に直上方向からビーム光を入射させ、入射したビーム光が４方に分散進行して前記光源基板の基板面に照射される位置にＬＥＤを実装配置することを特徴とする。
【００２７】
上記の製造方法によれば、直上方向への出射光を実現するための、光源基板上におけるＬＥＤの最適配置位置を容易に決めることができるため、製造上の効果が大きい。
【発明の効果】
【００２８】
以上のように本発明の面光源装置においては、交差プリズムシートによる薄型構成の光学系によって複数のＬＥＤからの入射光を合成することができ、また光線の利用効率を高めることができるため、形状的に小型薄型で、光学的に光合成性能の優れた面光源装置を提供することができる。
【発明を実施するための最良の形態】
【００２９】
以下、本発明の実施形態について図面により詳細に説明する。図１〜図５は本発明の第１実施形態における面光源装置を示すものであり、図１は面光源装置の分解斜視図、図２、図３、図４はいずれも図１における光源基板のＬＥＤ配置を示す部分平面図、図５は図４のＡ−Ａ断面図である。図１において１０は面光源装置であり、複数のＬＥＤ２をＸ−Ｙ座標方向に対してマトリックス状に配設した光源基板１と、光源基板１の上方に枠体３を介して、一方の面に複数の微細なプリズムを有し、他方の面が平面な２枚のプリズムシートＰＳ１、ＰＳ２を各プリズムシートのプリズム列を交差させて配置した交差プリズムシートとにより構成されている。
【００３０】
図２は光源基板１の１部分を拡大した部分平面図であり、光源基板１のＸ−Ｙ座標軸に対してマトリクス状にＲ、Ｇ、Ｂ・ＬＥＤが配設された状態を示している。すなわち光源基板１のＸ軸に平行な１行目にはＢ・ＬＥＤ２ｂとＲ・ＬＥＤ２ｒとが略等間隔で交互に配置され、また２行目にはＧ・ＬＥＤ２ｇのみが略等間隔で配置されている。さらに３行目にはＲ・ＬＥＤ２ｒとＢ・ＬＥＤ２ｂとが略等間隔で交互に配置され、また４行目にはＧ・ＬＥＤ２ｇのみが略等間隔で配置されている。
【００３１】
すなわち奇数行にはＢ・ＬＥＤ２ｂとＲ・ＬＥＤ２ｒとが略等間隔で交互に配置され、かつ１行毎にＢ・ＬＥＤ２ｂとＲ・ＬＥＤ２ｒとの位置が入れ替わって配設されており、また偶数行にはすべてＧ・ＬＥＤ２ｇのみが略等間隔で配置されている。
この結果、Ｙ軸に平行な１列目にはＢ・ＬＥＤ２ｂ、Ｇ・ＬＥＤ２ｇ、Ｒ・ＬＥＤ２ｒ、Ｇ・ＬＥＤ２ｇの繰り返しで配設され、また２列目にはＲ・ＬＥＤ２ｒ、Ｇ・ＬＥＤ２ｇ、Ｂ・ＬＥＤ２ｂ、Ｇ・ＬＥＤ２ｇの繰り返しで配設されている。すなわち各列のＬＥＤ配置は、Ｂ・ＬＥＤ２ｂとＲ・ＬＥＤ２ｒとの間にＧ・ＬＥＤ２ｇを挟んだ繰り返し配置となり、かつ奇数列と偶数列とでＢ・ＬＥＤ２ｂとＲ・ＬＥＤ２ｒとの位置が入れ替わって配設されている。
【００３２】
上記のＬＥＤ配列によって光源基板１上には複数の光源対５が形成されることになり、以下光源対５の構成を説明する。すなわち光源基板１に実装されたマトリックス状の複数のＬＥＤは、Ｒ、Ｇ、Ｂ、Ｇよりなる３色のＬＥＤを１組として、この1組のＬＥＤがＸ−Ｙ座標における各象限に対象的に配置された光源対５ａ、５ｂ、５ｃ、５ｄの如く複数構成される。そして後述する如く、各光源対５のＸ−Ｙ座標の中心点には各象限に配設されたＲ、Ｇ、Ｂ・ＬＥＤの発光が合成混色された白色光Ｗが直上方向に出射される。
【００３３】
図３は図２と同じ光源基板１の１部分を拡大した部分平面図であり、光源対５の構成をさらに詳しく説明したものである。すなわち図２では解り易くするために各光源対５のうち独立した光源対５ａ、５ｂ、５ｃ、５ｄのみを図示したが、実際は各ＬＥＤが１つの光源対のみを形成しているのではなく、各ＬＥＤは隣り合う光源対に共有されており、複数の光源対を構成している。すなわち光源対５ａ，５ｂの間には光源対５ａを構成するＲ・ＬＥＤ２ｒ１、Ｇ・ＬＥＤ２ｇ２と、光源対５ｂを構成するＢ・ＬＥＤ２ｂ１、Ｇ・ＬＥＤ２ｇ３をそれぞれ共有して光源対５ｅが構成され、また
光源対５ａと光源対５ｃの間には光源対５ａを構成するＧ・ＬＥＤ２ｇ１、２ｇ２と光源対５ｃを構成するＲ・ＬＥＤ２ｒ２、Ｂ・ＬＥＤ２ｂ２をそれぞれ共有して光源対５ｆが構成されている。同様に各光源対５の間には両側の光源対を構成する各ＬＥＤを共有して新たな光源対が構成されているが重複する説明は省略する。一例として図示の如く４×４個のＬＥＤマトリックス配置の場合には９個の光源対が構成されることになる。
【００３４】
図４も図３と同じ光源基板１の１部分を拡大した部分平面図であり、各光源対５より出射される白色光Ｗの状態を示すものである。一例として図示した４×４個のＬＥＤマトリックス配置の場合に構成される９個の光源対からは、９個の白色光Ｗが出射されていることがわかる。
【００３５】
図５は面光源装置１０の部分断面図であり、図４のＡ−Ａ断面を示すものである。
図５において光源基板１にはＧ・ＬＥＤ２ｇ４、Ｂ・ＬＥＤ２ｂ２、Ｇ・ＬＥＤ２ｇ３、Ｒ・ＬＥＤ２ｒ３が間隔Ｌで実装されており、各ＬＥＤ２の上面からＨの高さに２枚のプリズムシートＰＳ１、ＰＳ２が積層配置されている。詳細に付いては後述するが、この２枚のプリズムシートＰＳ１、ＰＳ２はプリズ面を上方に向け、お互いのプリズム列を交差させて配置されており、また各ＬＥＤ２の上面からプリズムシートＰＳ１の底面までの高さＨは図１に示す枠体３によって規制されている。
【００３６】
次に面光源装置１０の動作を説明する。一例として隣り合うＬＥＤであるＧ・ＬＥＤ２ｇ４とＢ・ＬＥＤ２ｂ２に付いて説明する。Ｇ・ＬＥＤ２ｇ４とＢ・ＬＥＤ２ｂ２とは上方に向けて各方向に発光しているが、この発光のうち黒矢印で示す中心から角度θの方向に出射された光線同士が、２個のＬＥＤすなわちＧ・ＬＥＤ２ｇ４とＢ・ＬＥＤ２ｂ２との中間点（Ｌ／２の位置）に対応する出射点Ｑから、交差プリズムシートＰＳ１、ＰＳ２によって混色された出射光として直情方向に出射される。図５に示す構成ではこの出射光はＧ光とＢ光との混色であるから白色光Ｗにはならないが、図４に示す如くＢ−Ｂ断面においてＲ・ＬＥＤ２ｒ２とＧ・ＬＥＤ２ｇ５との混色がおこなわれるので、出射点Ｑからは１組の光源対５ｃを構成するＧ・ＬＥＤ２ｇ４、２ｇ５とＢ・ＬＥＤ２ｂ２とＲ・ＬＥＤ２ｒ２との３色光が混色された白色光Ｗが出射される。また他の隣り合うＬＥＤ同士も同様の動作を行って出射点Ｑから白色光Ｗが出射されることになる。
【００３７】
またＧ・ＬＥＤ２ｇ４とＢ・ＬＥＤ２ｂ２とから白矢印でその一部を示すように、角度θ以外の方向に出射された光線はプリズムシートＰＳ１、ＰＳ２で反射されてＬＥＤ側に戻るが、ＬＥＤ２の表面や反射性を有する光源基板１の表面で反射されることを繰り返しながら角度θ方向に出射されて、プリズムシートＰＳ１、ＰＳ２の出射点Ｑから白色光Ｗとして出射されていく。
【００３８】
図５に示す面光源装置１０の構成条件を、図４に示す光源対５ｃを例に説明する。
光源対５ｃを構成する対角位置に配設された２個のＬＥＤの距離、すなわちＧ・ＬＥＤ２ｇ４とＢ・ＬＥＤ２ｂ２の距離（Ｒ・ＬＥＤ２ｒ２とＧ・ＬＥＤ２ｇ５の距離も同じ）をＬとし、Ｇ・ＬＥＤ２ｇ４とＢ・ＬＥＤ２ｂ２の上面からプリズムシートＰＳ１の底面までの高さをＨとし、Ｇ・ＬＥＤ２ｇ４とＢ・ＬＥＤ２ｂ２の発光点から交差プリズムシートＰＳ１の出射点Ｑへ向かう光線の出射角度をθとすると、Ｈ＝Ｌ／２ｔａｎθの関係が成立するときに合成された出射光は直上方向へ出射されることになる。
【００３９】
次に図６〜図１０により、本発明の趣旨である交差プリズムシートＰＳ１、ＰＳ２における混色発光の原理について説明する。図６と図７は２枚のプリズムシートＰＳ１、ＰＳ２と４個の光源Ｋ１〜Ｋ４との構成を示す上面図及び側面図であり、図４、図５に示す光源対５ｃの部分を例示したものである。
【００４０】
次に２枚のプリズムシートＰＳ１、ＰＳ２と４つの光源Ｋ１、Ｋ２、Ｋ３、Ｋ４の配置関係を図６、図７により説明する。図６は図４の光源対５ｃの部分における２枚のプリズムシートＰＳ１、ＰＳ２の構成を示す上面図及び側面図であり、中央に積層したプリズムシートＰＳ１、ＰＳ２の上面図を示し、左側にＸ軸方向から見た側面図、下側にＹ軸方向から見た側面図を示している。また図７は図６に示す積層したプリズムシートＰＳ１、ＰＳ２の上面図に対する４つの光源Ｋ１、Ｋ２、Ｋ３、Ｋ４の配置関係を示しており、光源対５ｃにおいてはＫ１がＧ・ＬＥＤ２ｇ４、Ｋ２がＧ・ＬＥＤ２ｇ５、Ｋ３がＲ・ＬＥＤ２ｒ２、Ｋ４がＢ・ＬＥＤ２ｂ２となっている。
いる。
【００４１】
図６に示す如くプリズムシートＰＳ１、ＰＳ２は、各々のプリズム列を所定の角度で交叉させた状態で、プリズムシートＰＳ１を下側、プリズムシートＰＳ２を上側にして積層配置されている。なお本実施形態におけるプリズムシートＰＳ１、ＰＳ２は上面をプリズム面とし、下面を平面としており、また各々の頂角が略直角で、各々のプリズム列が交叉する様に配置されている。従ってプリズムシートＰＳ１、ＰＳ２の上面図におけるＸ軸に平行な実線は、上側のプリズムシートＰＳ２のプリズム列における頂部と谷部のラインを示し、Ｙ軸に平行な点線は、下側のプリズムシートＰＳ１のプリズム列における頂部と谷部のラインを示しており、この実線と点線は交差する升目を構成している。そしてこの各プリズム列のピッチは１μｍ〜１００μｍの微細ピッチとなっている。
【００４２】
次に２枚のプリズムシートＰＳ１、ＰＳ２と４つの光源Ｋ１、Ｋ２、Ｋ３、Ｋ４の配置関係は図７に示す如く、積層された２枚のプリズムシートＰＳ１、ＰＳ２の各プリズム列の交叉によって形成される４つのゾーン、すなわちプリズムシートＰＳ１、ＰＳ２の平面をＸ軸とＹ軸とで区分した４つのゾーンＳ１、Ｓ２、Ｓ３、Ｓ４に、４  個の光源Ｋ１、Ｋ２、Ｋ３、Ｋ４が分散されて配置されている。従って光源Ｋ１から放射された入射光Ｐ１、光源Ｋ２から放射された入射光Ｐ２、光源Ｋ３から放射された入射光Ｐ３、光源Ｋ４から放射された入射光Ｐ４は積層された２枚のプリズムシートＰＳ１、ＰＳ２における各プリズム列の交叉角の中心線Ｎ、Ｍの近傍に沿って入射しており、また、２枚のプリズムシートＰＳ１、ＰＳ２の所定の集光点Ｐｏに向けて集中的に入射している。なお本実施形態においては２枚のプリズムシートＰＳ１、ＰＳ２の所定の集光点Ｐｏを上プリズムシートＰＳ２の上部中心点としている。
【００４３】
この結果各光源の位置関係は、図７に示す如く光源Ｋ１と光源Ｋ４及び光源Ｋ２と光源Ｋ３とは各々集光点Ｐｏに対して点対称の位置に配置され、また光源Ｋ１と光源Ｋ３及び光源Ｋ２と光源Ｋ４とは各々集光点Ｐｏを通るＸ軸に対して線対称の位置に配置されている。そして、各光源のＸ軸からの角度はすべて同一であり、この角度は２枚のプリズムシートＰＳ１、ＰＳ２の材質による屈折率とプリズム頂角によって決まる角度である。本実施形態においては２枚のプリズムシートＰＳ１、ＰＳ２の材質として屈折率ｎが１．４９のアクリル（ＰＭＭＡ）を使用し、プリズム頂角を９０°としたので、すべての光源Ｋ１、Ｋ２、Ｋ３、Ｋ４はＸ軸から４３．５°の同一角度の位置に配置されている。この理由はプリズム角には＋−があるため、当たる面によって光線の向きは異なる４方向となるが、面の法線との角度で見ると４方向は同じになる。すなわち光線の向きは異なっていても角度は同じになり、プリズムシートＰＳ１、ＰＳ２の屈折率ｎを１．４９、プリズム頂角を９０°として出射光を直上方向に出射させるためには、入射光の入射方向はＸ軸基準で±４３．５°の同一角度となる。
【００４４】
本発明における積層された２枚のプリズムシートＰＳ１、ＰＳ２に対する各光源からの入射条件については後に詳述するが、基本的な光合成（混色）動作について、図６により説明する。２枚のプリズムシートＰＳ１、ＰＳ２のＸ軸―Ｙ軸平面に対する出射光の方向、すなわちＸ軸―Ｙ軸平面に垂直方向をＺ軸として、プリズムシートＰＳ１のプリズム面を構成する一方のプリズム斜面をＬ１、他方のプリズム斜面をＬ２とし、プリズムシートＰＳ２のプリズム面を構成する一方のプリズム斜面をＵ１、他方のプリズム斜面をＵ２としたとき、各光源Ｋ１、Ｋ２、Ｋ３、Ｋ４からの入射光はプリズムシートＰＳ１の下面側に所定の角度に傾けた方向から入射され、またＸ軸から４３．５°の位置から入射されており、これは光源対５ｃにおける４個のＬＥＤ、すなわちＧ・ＬＥＤ２ｇ４、Ｇ・ＬＥＤ２ｇ５、Ｒ・ＬＥＤ２ｒ２、Ｂ・ＬＥＤ２ｂ２と２枚のプリズムシートＰＳ１、ＰＳ２におけるプリズム列の方向及び出射点Ｑとの位置関係を示している。
【００４５】
上記の位置に配置された各光源からの入射光はプリズム面に対してＸ軸―Ｙ軸平面において斜光入射すると共に、Ｚ軸においても斜光入射することになる。すなわち、本発明における、面光源装置１０はプリズム面に対して各光源からの入射光を斜光入射させ、プリズム面を斜めに使用することによって、４方向からの入射光を同一条件で屈折放射ができるようにしている。各入射光に対しては図６に示す如く光源Ｋ1から放射された入射光Ｐ１はプリズムシートＰＳ１のプリズム斜面Ｌ１とプリズムシートＰＳ２のプリズム斜面Ｕ２を通過して出射光となり、同様に光源Ｋ２から放射された入射光Ｐ２はプリズムシートＰＳ１のプリズム斜面Ｌ２とプリズムシートＰＳ２のプリズム斜面Ｕ２を通過し、光源Ｋ３から放射された入射光Ｐ３はプリズムシートＰＳ１のプリズム斜面Ｌ１とプリズムシートＰＳ２のプリズム斜面Ｕ１を通過し、光源Ｋ４から放射された入射光Ｐ４はプリズムシートＰＳ１のプリズム斜面Ｌ２とプリズムシートＰＳ２のプリズム斜面Ｕ１を通過してそれぞれ出射光となる。
【００４６】
また、各光源から放射された広い面積を有する入射光は、２枚のプリズムシートＰＳ１、ＰＳ２に設けられた多数のプリズム列の各斜面に入射してそれぞれ屈折放射を行うが、前述の如く各プリズム列のピッチは１μｍ〜１００μｍの微細ピッチとなっているため、目視的には別々の出射光としては認識されず、合成された単一の出射光として認識される。したがって、各光源の条件として、光源Ｋ１がＧ光、Ｋ４がＢ光、Ｋ２がＧ光、Ｋ３がＲ光とした場合には出射光としてはＲ光、Ｂ光、Ｇ光を混色して白色光Ｐｗが出射される。
【００４７】
次に２枚のプリズムシートＰＳ１、ＰＳ２に対する各光源からの入射光の光路について図８、図９により説明する。図８は図６に示すプリズムシートＰＳ２の部分拡大断面図であり、プリズムシートＰＳ２を屈折しながら透過する各入射光の光路を示す。図９は図６に示すプリズムシートＰＳ１の部分拡大断面図であり、プリズムシートＰＳ１を屈折しながら透過する各入射光の光路を示す。本実施形態においては２枚のプリズムシートＰＳ１、ＰＳ２は材質として屈折率が１．４９のアクリルを使用し、プリズム頂角が９０°となっている。
【００４８】
一般にプリズムの光路を求める方法としては、下記のように行われる。すなわち１枚のプリズムシートの下面側から入射光を入れて、プリズムシートの直上方向に出射光を得ようとした場合、光路の求め方としては逆方向にたどるやり方が行われる。例えば図８の上側プリズムシートであるプリズムシートＰＳ２の場合には、まず出射光として混色された白色光Ｐｗを直上方向に出射させる必要があるので、各光源からの出射光を逆向きにして、プリズムシートの直上方向からアクリル製のプリズムシート中に入射させる。この時入射光は空気とアクリルとの屈折率の差によってスネルの法則が適用され、境界面において所定の屈折角があたえられてプリズムシート内を進行して行く。さらにプリズムシートＰＳ２の下面から空気中に出射する時にも境界面においてスネルの法則による所定の屈折角があたえられて空気中に出射される。
【００４９】
プリズムシートＰＳ２を実際の面光源装置として用いる場合には、上記結果に基づいてプリズムシートＰＳ２の下面より空気中に出射された出射光の角度で、各光源からの入射光を入射すればプリズムシート内を同様の所定屈折角で進行し、プリズムシートＰＳ２の上面より直上方向に出射光を得ることができる。
【００５０】
次に図８、図９により２枚のプリズムシートＰＳ１、ＰＳ２に対する実際の各光源からの入射光の光路について説明する。図８に示す上側のプリズムシートＰＳ２の場合はＹ軸−Ｚ軸平面を示しており、図６に示す光源Ｋ１からの入射光Ｐ１と光源Ｋ２からの入射光Ｐ２とがプリズムシートＰＳ２の左側のプリズム斜面Ｕ２を通過し、また光源Ｋ３からの入射光Ｐ３と光源Ｋ４からの入射光Ｐ４とがプリズムシートＰＳ２の右側のプリズム斜面Ｕ１を通過して直上方向に出射される。従ってプリズムシートＰＳ２の下面に入射する方向は入射光Ｐ１、Ｐ２とが左傾斜で、入射光Ｐ３、Ｐ４が右傾斜とその入射方向は逆になるが、その入射光の進行角度はすべて同じ角度となる。
【００５１】
すなわち、各入射光におけるプリズムシートＰＳ２の下面の境界面法線（点線で示す）との角度θ２及びγ２、各出射光におけるプリズムシートＰＳ２のプリズム斜面の境界面法線（点線で示す）との角度β２及びα２はすべて同じになる。そしてこれらの角度は屈折率が１．４９のアクリルを使用し、プリズム頂角が９０°のプリズムシートＰＳ２においてはα２＝４５．０°、β２＝２８．３°、γ２＝１６．７°、θ２＝２５．３°である。
【００５２】
次に図９に示す下側のプリズムシートＰＳ１の場合はＸ軸−Ｚ軸平面を示しており、各入射光におけるプリズムシートＰＳ１の下面の境界面法線（点線で示す）との角度θ１及びγ１、各出射光におけるプリズムシートＰＳ１のプリズム斜面の境界面法線（点線で示す）との角度β１及びα１はすべて同じになる。そしてこれらの角度は屈折率が１．４９のアクリルを使用し、プリズム頂角が９０°のプリズムシートＰＳ１においてはα１＝５０．３°、β１＝３１．１°、γ１＝２４．６°、θ１＝３８．４°である。なお、図５におけるプリズムシートＰＳ１からの各出射光Ｐ１〜Ｐ４が作図上は直上方向に出射されるように図示されているが、これらの出射光は紙面に対して垂直方向に傾斜角を有するものであり、図５のＸ軸−Ｚ軸平面では傾斜が見えない方向になっているためである。しかし実際には出射光Ｐ１、Ｐ２は紙面の奥方向へ向う傾斜角を有し、出射光Ｐ３、Ｐ４は紙面の手前方向へ向う傾斜角を有している。
【００５３】
すなわち各出射光Ｐ１〜Ｐ４の傾斜方向は逆になっているが、その傾斜角度はすべて同じであり、Ｚ軸に対しては２５．３°の傾斜を有し、これをプリズムシートＰＳ１におけるプリズム斜面の境界面法線を基準にすると５０．３°の傾きとなる。従ってＺ軸に対しては２５．３°の傾斜を有する下側のプリズムシートＰＳ１の各出射光Ｐ１〜Ｐ４は、上側のプリズムシートＰＳ２における下面の境界面法線に対して２５．３°の入射角、すなわちθ２の入射角を有する入射光となり、プリズムシートＰＳ２の内部を屈折進行して上面より直上方向に出射される。なお、図８、図９においては、理解を容易にするために入射光Ｐ１と入射光Ｐ２及び入射光Ｐ３と入射光Ｐ４とを別々のプリズム斜面に入射している状態を示したが、実際には各々同一のプリズム斜面にも同時に入射して合成されるものである。
【００５４】
図１０は２枚のプリズムシートＰＳ１、ＰＳ２を入射光が連続して通過していく光路の進行状態を模擬的に示したものであり、入射光Ｐ１のみを代表的に示している。
すなわち、下側のプリズムシートＰＳ１の下面のｆ１点より入射光Ｐ１がプリズム列に対してＸ軸から４３．５°のＸ軸―Ｙ軸平面方向の角度、下面の境界面法線から３８．４°のＺ軸方向の角度（θ１）で入射するとプリズムシートＰＳ１内で屈折が行われたのちにプリズム斜面Ｌ１のｆ２点より空気中に出射される。この出射された入射光Ｐ１は上側のプリズムシートＰＳ２の下面のｆ３点より境界面法線から２５．３°のＺ軸方向の角度（θ２）で入射され、プリズムシートＰＳ２内で屈折が行われたのちにプリズム斜面Ｕ２のｆ４点より直上方向の空気中に出射される。また、図示は省略したが、入射光Ｐ２、Ｐ３、Ｐ４についても図４、図５に示した光路に従って同様に進行出射されるものである。なお、図６の作図にあたっては理解し易くするために、２枚のプリズムシートＰＳ１、ＰＳ２を実際より少し離して図示し、かつプリズムシートＰＳ２の配置位置を解り易くするために仮想軸としてＸ軸に対応するＸ’軸を設けている。
【００５５】
上記の如く本発明では、プリズム列を交叉させて積層配置した２枚のプリズムシートにおける各プリズム列に対して、入射光をＸ軸―Ｙ軸平面方向の角度とＺ軸方向の角度を有する斜め方向から入射させることで、プリズム斜面を斜めに使用している。この結果、同一の光学的条件のもとで４方向からの入射光を同時に入射さて合成することを可能にしている。
【００５６】
次に図７で説明した光源Ｋ1〜Ｋ４の集光点Ｐｏを通るＸ軸に対する配置角度について説明する。各光源の位置関係は、図７に示す如く光源Ｋ１と光源Ｋ４及び光源Ｋ２と光源Ｋ３とは各々集光点Ｐｏに対して点対称の位置に配置され、また光源Ｋ１と光源Ｋ３及び光源Ｋ２と光源Ｋ４とは各々集光点Ｐｏを通るＸ軸に対して線対称の位置に配置されている。そして、各光源のＸ軸からの角度はすべて同一であり、この角度は２枚のプリズムシートＰＳ１、ＰＳ２の材質による屈折率とプリズム頂角によって決まる角度である。そして第１の実施形態においては２枚のプリズムシートＰＳ１、ＰＳ２の材質として屈折率ｎが１．４９のアクリル（ＰＭＭＡ）を使用し、プリズム頂角を９０°としたので、すべての光源Ｋ１、Ｋ２、Ｋ３、Ｋ４はＸ軸から４３．５°の同一角度の位置に配置されている。
【００５７】
しかし、この光源の集光点Ｐｏを通るＸ軸からの角度はプリズムシートの屈折率ｎとプリズム頂角によって決まるものであることは前述の通りである。図１１は２枚のプリズムシートＰＳ１，ＰＳ２としてプリズム頂角が９０°のプリズムシートを直交配置した条件下において、プリズムシートを異なる屈折率の材質に替えたときの、集光点Ｐｏを通るＸ軸に対する光源の配置角度を示す表であり、θ°ｘｙはＸ―Ｙ平面におけるＸ軸からの角度θ°ｚはＸ―Ｙ平面からＺ軸方向への角度である。図１１からわかるように屈折率ｎが１．４９のアクリルに近似した屈折率ｎを有する材料を選択した結果、屈折率ｎとしては１．２〜約１．８の材料が使用可能であり、この範囲の材料によるプリズムシートを使用することによって、実用的な光源の集光点Ｐｏを通るＸ軸に対する配置角度は略４５°〜４２°の範囲が適することがわかる。
【００５８】
次に本発明の第２実施形態における光源基板について図１２により説明する。図１２は光源基板１１の１部分を拡大した部分平面図であり、図２に示す光源基板１と同様に光源基板１１のＸ−Ｙ座標軸に対してマトリクス状にＲ、Ｇ、Ｂ・ＬＥＤが配設された状態を示している。光源基板１１が図２に示す光源基板１と異なるところはＲ、Ｇ、Ｂ・ＬＥＤの配置である。すなわち光源基板１１においては、Ｘ軸に平行な１行目にはＧ・ＬＥＤ２ｇとＲ・ＬＥＤ２ｒとが略等間隔で交互に配置され、また２行目にはＢ・ＬＥＤ２ｂとＧ・ＬＥＤ２ｇとが略等間隔で交互に配置されている。さらに３行目にはＧ・ＬＥＤ２ｇとＲ・ＬＥＤ２ｒとが略等間隔で交互に配置され、また４行目にはＢ・ＬＥＤ２ｂとＧ・ＬＥＤ２ｇとが略等間隔で交互に配置されている。
【００５９】
すなわち奇数行にはＧ・ＬＥＤ２ｇとＲ・ＬＥＤ２ｒとが略等間隔で交互に配置され、また偶数行にはＢ・ＬＥＤ２ｂとＧ・ＬＥＤ２ｇとが略等間隔で交互に配置されている。この結果、Ｙ軸に平行な１列目、３列目の奇数列にはＧ・ＬＥＤ２ｇとＢ・ＬＥＤ２ｂとが交互に配設され、また２列目、４列目の偶数列にはＲ・ＬＥＤ２ｒとＧ・ＬＥＤ２ｇが交互に配設されている。
【００６０】
上記のＬＥＤ配列によって光源基板１１上には、光源基板１と同様に複数の光源対５が形成されることになり、以下光源対５の構成を説明する。すなわち光源基板１１に実装されたマトリックス状の複数のＬＥＤは、Ｒ、Ｇ、Ｂ、Ｇよりなる３色のＬＥＤを１組としてＸ−Ｙ座標における各象限に対象的に配置された光源対５ａ、５ｂ、５ｃ、５ｄが構成され、各光源対５のＸ−Ｙ座標の中心点には各象限に配設されたＲ、Ｇ、Ｂ・ＬＥＤの発光が合成混色された白色光Ｗが直上方向に出射されることは光源基板１と同様である。また、図示は省略したが、図３に示す光源基板１と同様に隣接した光源対とＬＥＤを共有した光源対５ｅ、５ｆ等が形成されている。
【００６１】
次に本発明の第３実施形態における面光源装置について図１３により説明する。図１３は第３実施形態における面光源装置２０の部分断面図であり、図５に示す第１実施形態の面光源装置１０と基本的構成は同じであり、同一要素には同一番号を付し、重複する説明を省略する。
【００６２】
図１３において２０は面光源装置であり、図５の面光源装置１０と異なるところは、光源の構成が異なることである。すなわち光源として各ＬＥＤ２の発光面側に指向性レンズ７を設けたことであり、この指向性レンズ７によってＬＥＤ２の発光は出射光Ｐｈでしめす如く中心軸より所定の角度θを有する光束となる。そしてこの出射光Ｐｈの角度は指向性レンズ７の形状によって設定することができるため、この角度を図５に示す出射光の角度θに合わせ込むことによって出射点Ｑから白色光Ｗが出射されることになる。すなわち面光量装置２０においてはＬＥＤ２の発光の大部分を出射角度θの有効光として利用できるため効率の良い面光源装置を得ることができる。
【００６３】
上記の如く本発明における面光源装置は、交差プリズムシートにより光源基板上に実装された複数の光源対を構成するＲ、Ｇ、Ｂ・ＬＥＤを直接混色させて発光させることができるため、このままでも十分に面光源として機能するが、交差プリズムシートの上面側に拡散板を配置することにより、さらに均一化された白色光を得ることができる。
【００６４】
上記の如く本発明によれば、光源対を構成する光源基板と交差プリズムシートにより薄型構成の面光源装置を提供することができる。そしてその応用範囲は広く、液晶表示装置用のバックライトだけではなく一般の面光源や発光表示板等に利用することができる。
【図面の簡単な説明】
【００６５】
【図１】本発明の第１実施形態における面光源装置の分解斜視図である。
【図２】図１における光源基板のＬＥＤ配置を示す部分平面図である。
【図３】図１における光源基板のＬＥＤ配置を示す部分平面図である。
【図４】図１における光源基板のＬＥＤ配置を示す部分平面図である。
【図５】図４のＡ−Ａ断面図である。
【図６】本発明の２枚のプリズムシートＰＳ１、ＰＳ２と４個の光源Ｋ１〜Ｋ４との構成を示す上面図及び側面図である。
【図７】本発明の２枚のプリズムシートＰＳ１、ＰＳ２と４個の光源Ｋ１〜Ｋ４との構成を示す上面図である。
【図８】図６に示すプリズムシートＰＳ２の部分拡大断面図である。
【図９】図６に示すプリズムシートＰＳ１の部分拡大断面図である。
【図１０】本発明の２枚のプリズムシートＰＳ１、ＰＳ２を入射光が連続して通過していく光路の進行状態を模擬的に示す斜視図であり、入射光Ｐ１のみを代表的に示している。
【図１１】本発明のプリズムシートの屈折率を変化させて場合の集光点Ｐｏを通るＸ軸に対する光源の配置角度を示す表である。
【図１２】本発明の第１実施形態における光源基板のＬＥＤ配置を示す部分平面図である。
【図１３】本発明の第３実施形態における面光源装置の部分断面図である。
【図１４】従来の面光源装置の分解斜視図である。
【図１５】図１４に示す発光基板の部分拡大側面図である。
【図１６】従来の面光源装置の断面図である。
【図１７】図１６に示す面光源装置の拡散導光板を示す平面図である。
【符号の説明】
【００６６】
１      光源基板
２      ＬＥＤ
２ｒ    赤色ＬＥＤ（Ｒ・ＬＥＤ）
２ｂ    青色ＬＥＤ（Ｂ・ＬＥＤ）
２ｇ    緑色ＬＥＤ（Ｇ・ＬＥＤ）
３      枠体
５      光源対
７      指向性レンズ
１０、２０、７０、９０    面光源装置
ＰＳ１、ＰＳ２    プリズムシート
Ｋ１、Ｋ２、Ｋ３、Ｋ４    光源
Ｐ１、Ｐ２、Ｐ３、Ｐ４    入射光
Ｌ１、Ｌ２、Ｕ１、Ｕ２    プリズム斜面
Ｓ１、Ｓ２、Ｓ３、Ｓ４    ゾーン
Ｐｏ    集光点
Ｐｗ    白色光
【図１】
2009087695.tif 000003
【図２】
2009087695.tif 000004
【図３】
2009087695.tif 000005
【図４】
2009087695.tif 000006
【図５】
2009087695.tif 000007
【図６】
2009087695.tif 000008
【図７】
2009087695.tif 000009
【図８】
2009087695.tif 000010
【図９】
2009087695.tif 000011
【図１０】
2009087695.tif 000012
【図１１】
2009087695.tif 000013
【図１２】
2009087695.tif 000014
【図１３】
2009087695.tif 000015
【図１４】
2009087695.tif 000016
【図１５】
2009087695.tif 000017
【図１６】
2009087695.tif 000018
【図１７】
2009087695.tif 000019